(57)【要約】【課題】本発明の目的は、横編機を用いて無縫製で編成し、肩を安定させるサポート機能および腕を上げ易くするサポート機能を備えるニットウェアを提供する。【解決手段】１ｘ１リブ組織のベース編地２の毎コースで、各編目の外側にゴム糸を配置する組織で、編出し部Ｓの袖口部５から裾部８の伏目部Ｅに至る袖部４、肩部３、胴部７の各部のコースの編目を、袖部４の編幅の目数でウェール方向に連続して編成する。ニットウェア１を装着すると、脇部９付近が基点となって、袖部４が９０度以上に折り畳まれ、肩線３Ｌと平行に配置された肩部３と袖部４の境界付近のゴム糸が同様に折り畳まれることで、元に戻ろうとする大きな緊縮力が生じ、腕を上げ易くするサポート力が機能する。【選択図】図１
2016163658.tif 000002
【特許請求の範囲】
【請求項１】
肩部、袖部、袖口部、衿部、胴部および裾部の各部を横編機により筒状、且つ無縫製に編成されたベース編地で構成されたニットウェアにおいて、
前記袖口部が肩線よりも上方に設けられた形状であり、且つ前記ベース編地には、コース方向にテンションをかけた状態の弾性糸をインレイ編成されたコースを有するとともに、ベース編地の裾部、胴部、肩部、袖部、袖口部の各部のコースの編目が、袖口部と裾部間でウェール方向に連続して形成されることで肩サポート機能を付加させたことを特徴とするニットウェア。
【請求項２】
前記ベース編地は非弾性糸を用いたリブ組織で構成し、且つ、前記ウェール方向に連続するコースの編目は、袖口部、袖部、肩部、胴部、および裾部の順でウェール方向に連続し、袖口部と肩部に編出し部を備え、裾部に伏目部を備えることを特徴とする請求項１記載のニットウェア。
【請求項３】
前記リブ組織は表目・裏目が交互に繰り返す１ｘ１リブであり、前記インレイ糸は表目の前側、裏目の後側に配置されることを特徴とする請求項１または請求項２記載のニットウェア。
【発明の詳細な説明】
【技術分野】
【０００１】
本発明は、横編機で編成された肩サポート機能を備えるニットウェアに関する。
【背景技術】
【０００２】
従来、市販されている肩サポーターの一例として、左右一方の肩部を覆いつつ、弾性糸を編幅方向に配置し、袖部と胸部を、脇と衿を結ぶ線上で縫着させているものがある（特許文献１参照）。
【先行技術文献】
【特許文献】
【０００３】
【特許文献１】実登３１２２７０４号
【発明の概要】
【発明が解決しようとする課題】
【０００４】
しかしながら、肩の状態が良くない為に肩部の締め付けが必要とされる場合、特許文献１のような肩サポーターを装着すると肩の安定は図れるが、肩部の締め付け力が加わった為に、逆に腕を上げ難くなる。本発明の目的は、横編機を用いて無縫製で編成し、肩を安定させると共に腕を上げ易くする肩サポート機能を備えるニットウェアを提供することである。
【課題を解決するための手段】
【０００５】
肩部、袖部、袖口部、衿部、胴部、および裾部の各部を横編機により筒状、且つ無縫製に編成されたベース編地で構成されたニットウェアにおいて、前記袖口部が肩線よりも上方に設けられた形状であり、且つ前記ベース編地には、コース方向にテンションをかけた状態の弾性糸をインレイ編成されたコースを有するとともに、ベース編地の裾部、胴部、肩部、袖部、袖口部の各部のコースの編目が、袖口部と裾部間でウェール方向に連続して形成されることで肩サポート機能を付加させたことを特徴とする。
【０００６】
前記ベース編地は非弾性糸を用いたリブ組織で構成し、且つ、前記ウェール方向に連続するコースの編目は、袖口部、袖部、肩部、胴部、および裾部の順でウェール方向に連続し、袖口部と肩部に編出し部を備え、裾部に伏目部を備えることを特徴とする。
【０００７】
前記リブ組織は表目・裏目が交互に繰り返す１ｘ１リブであり、前記インレイ糸は表目の前側、裏目の後側に配置されることを特徴とする。
【発明の効果】
【０００８】
本発明によれば、ウェール方向に連続して形成している裾部、胴部、肩部、袖部、袖口部の各部のコースの編目に、テンションを掛けた弾性糸をインレイ編成しているニットウェアは、体に装着する際に以下の肩サポート機能として効果を発揮する。
袖部が脇部付近を基点に折り畳まれ、肩部の端部で前後編地の境界となる肩線と略平行に配置された、肩部と下方袖部の境界付近の弾性糸が、元より有していたテンションに加えてさらに大きなテンションが加わる。そのため元に戻ろうとする大きな緊縮力が働き、腕が上がり易くなる。また肩部近傍ではコース方向に弾性糸を配置して締め付けることで肩を安定させることができる。更に、胴部に対するコース方向の弾性糸が、ニットウェアを体に強くフィットさせ、肩や腕を上げる際にもニットウェアを同方向に引っ張り上げることを防ぐ。その為、腕が上がり易くなる為のテンションは維持できる。
【０００９】
本発明によれば、汗の吸湿などに適した綿糸などの非弾性糸を用いてリブ組織とすることで、弾性糸と伸縮性の差を大きくし、ベース編地の編目を外側に且つ弾性糸を内側に配置して厚みを出すことができる。また袖口部と裾部間でウェール方向に編目が連続し、コース方向での編目が減少していく編成となり、コース方向で編目数の変化がある場合にも重ね目を形成する事で編地が綺麗に見える。
【００１０】
本発明によれば、表目と裏目を交互に繰り返す１ｘ１リブは、インレイ糸と前後の各編目との接触が最大となる。更に表目の前側と裏目の後側に配置されるインレイ糸に対し、リブ組織での表目と裏目の本来の位置に戻ろうとする力が加わることで更なる抵抗となり、インレイ糸がずれ難くなる。
【図面の簡単な説明】
【００１１】
【図１】本発明であるニットウェアの正面（ａ）と背面（ｂ）を示す概略図である。
【図２】本発明の実施形態のベース編地とインレイ糸を示したループ図である。
【発明を実施するための形態】
【００１２】
以下、図１のニットウェアの概略図および図２のループ図を用いて本発明の実施形態のニットウェア１を説明する。使用する横編機は、前後二対の針床を備えた４枚ベッド機であるが、２枚ベッド横編機でもよい。また、ニットウェア１は、図１の正面と背面の外端部で繋がって筒状となっている。使用する糸は、ベース編地２を非弾性糸の綿糸を用いて編成し、インレイ糸は、ゴム糸を用いる。非弾性糸は、綿糸以外のレーヨンやナイロン等でも良く、限定はしない。また、非弾性糸に替えて、ゴム糸よりも弾性力の弱いポリウレタン糸等を用いても良い。更に弾性糸は、ポリウレタン糸を芯としてレーヨンやナイロン、綿等の多様な編糸を巻き付けたカバーリング糸を用いてもよい。それぞれの糸の太さや弾性力の強弱等、用いる箇所や本数を変えることで締め付け力を自由に変更することもできる。
【００１３】
なお、図１では、ニットウェアのコース方向に、インレイ糸の配置状態として細い実線を用いて概略的に示している。また破線は、一般的なニットウェアで袖に相当する箇所を肩部３と区分しており、肩部３の肩線３Ｌの延長線を目安に、袖部４を上方袖部４Ｕと下方袖部４Ｄに区分している。
〈実施形態〉
【００１４】
ニットウェア１は、肩部３の編幅が最大で、胴部７（裾部８）の編幅が最小となる。ニットウェア１の編成は袖部４から裾部８に向けて編幅を減らす方向に進められ、増やし編成は行なわず、減らし編成を用いて成型することで編地の見栄えを良くしている。その理由は、増やし編成に拠る捻れ目等を必要としないからである。
【００１５】
図１のニットウェア１は、袖口部５が肩線３Ｌよりも上方に設けられた形状となっており、左右の袖口部５が編出し部Ｓとなる。具体的には、左右の袖口部５では筒状となる前後編地それぞれの編出しを行ない、衿部６は後編地のみの編出しを行い、衿部６の両側で袖部４と囲まれる肩部３の領域は前後編地を繋ぐ編出しとなる。何れの編出しも公知な方法を用いる。左右の袖口部５は、それぞれ異なる給糸口を用いて編出し、続いて筒状に周回編成を行なう。これらの編成は、単一の給糸口で行っても良い。    
【００１６】
本実施形態では、ベース編地２の締め付け力を高める為に、ベース編地２の毎コースで、コース方向にテンションが掛かった状態のゴム糸を配置している。図２は、１ｘ１リブ組織となるベース編地２における表目の前側と裏目の後側にインレイ糸（ゴム糸）を配置したループ図である。図中のアルファベットＡ〜Ｇは、編針の位置を示し、ベース編地２対する編目の列を、表目側は表目ウェール１１Ｆと、裏目側は裏目ウェール１１Ｂで示す。またＹ０、Ｙ１、Ｙ３は綿糸を用いたベース編地２の編成コースを、Ｙ２、Ｙ４はゴム糸を用いたインレイ糸の編成コースを示す。
【００１７】
Ｙ２では、ゴム糸は編針Ａ，Ｃ，Ｅ，Ｇを用いて編成した表目に対して紙面手前側を、編針Ｂ，Ｄ，Ｆを用いて編成した裏目に対して紙面奥側を通過し、隣接する前後の編目間で交互に入れ替えている。ゴム糸をこの様に配置するには、編目を形成した後に対向する針床にそれらの編目を目移しで一旦退避させ、ゴム糸を配置した後、元の位置に戻せばよい。また、ゴム糸を前後の各編目の内側に配置するには、前後針床間で編目を編成した状態でゴム糸が通過すれば良い。
【００１８】
本実施形態では、１ｘ１リブ組織の各編目の外側にゴム糸が配置されているが、ベース編地２は天竺や２ｘ２リブ、３ｘ１リブ組織等でもよく、ゴム糸が通過する位置が前後の各編目間の内側や、外側と内側の混在でも良い。またベース編地２の毎コースにゴム糸を配置しているが、２〜４コースの複数コース毎に配置すれば、締め付け力を調整することも可能となる。ベース編地２の伸縮やゴム糸のずれ、編地の凹凸状況などに変化が出るが、本実施形態は、ベース編地２の締め付け力が最も高く、ゴム糸もずれ難い。
【００１９】
本実施形態では、１ｘ１リブ組織のベース編地２の毎コースで、各編目の外側にインレイ糸を配置する組織で、袖口部５の編出し部Ｓから袖部４、肩部３、胴部７を挟んで裾部８の伏目部Ｅに至る各部の編成を、袖部４の編幅でウェール方向に連続させている。その結果、該組織による効果と図１に示す形状による作用が重なり、腕を上げ易くする肩サポート機能を付加させたニットウェア１を形成する事ができる。袖口部５の編出し後、筒状に編成した後に、前後針床の境界でＣ字状に折り返し、袖部外側方向で開口する引返し編成を行なうことで上方袖部４Ｕを編成する。ただし、引返し編成でウェール方向の編目数を減らす位置や角度により袖口部５の開口方向は異なる。左右の袖部４のそれぞれに対し、ニットウェア１の編幅中心側とは逆側の編目数を少なく編成すれば、図１で示す様に袖口部５の開口が肩線３Ｌの上方で外側を向く。また、左右の袖部４のそれぞれに対し、前記編幅中心側の編目数を少なく編成すれば、袖口部５の開口が肩線３Ｌの上方で編幅中心側を向く。さらに図１では、袖部４は半袖を示すが、長袖であっても構わない。
【００２０】
肩部３では、前後の各編地が繋がる様に分岐する編出しを行い、衿部６は後編地に対してのみ編出しを行っている。衿部６は、両外側の肩部３、袖部４をニットウェア１の編幅中心側に向けて寄せて編成することで三角形状の開口となっている。袖部４の引返し編成以降では、衿部６のみ編地内の開口部となり、ベース編地２が、前後編地としてコース方向でＣ字状に繋がっている。同様に、インレイ糸となるゴム糸も衿部６の開口箇所で折り返しながら、ベース編地２の毎コースに配置され、コース方向にテンションが加わった状態で緊縮力を付与している。衿部６の開口が閉じると、ベース編地２とゴム糸の周回編成で胴部７を形成し、裾部８において伏目処理を行う。この伏目処理による伏目部Ｅについても綿糸に変えて弾性糸を用いれば、伸縮可能で着脱も容易に行える。なお、編成方向は、裾部８から編出し、肩部３と袖部４を編成した後、袖口部５に至る編成でも良い。
【００２１】
本実施形態のニットウェア１を装着すると、肩線３Ｌの上方外側を向く袖部４が人体の腕の位置となる下方に移動する事となり、脇部９付近が基点となって、９０度以上の折り畳まれた状態となる。肩線３Ｌと平行に配置された肩部３と袖部４の境界付近のゴム糸が同様に折り畳まれることで、テンションのかかっていたゴム糸は腕が下がることで、更に大きなテンションが加わり、元に戻ろうとする大きな緊縮力が生じる。この力が、腕を上げ易くするサポート機能の役割を果たしている。つまり、本実施形態では袖部４の曲げる角度と肩部３のゴム糸の負荷を大きくさせる様にゴム糸を配置している。
【００２２】
また本実施形態では、肩サポート機能を有効に作用させる為、胴部７を備えている。一般的には肩部を中心にサポートするものが一般的であるが、胴部７を設けていることで、腕の上下動に対してもニットウェア１を確実に固定でき、密着している状態から着脱を行う際にも容易に行える。更に、図１に示す脇部９の形状についても、腕が下りた状態で、脇部９の突っ張りを抑える角度として、１２０度〜１５０度を目安として設定いる。また、袖口部５の開口が肩線３Ｌの上方内側を向く形状にすれば、上方外側を向く本実施形態のものよりも腕を上げ易くする力は強くなるが、脇部９の突っ張り感が上がってしまう。
【符号の説明】
【００２３】
１    ニットウェア
２    ベース編地              
３    肩部    ３Ｌ  肩線            
４    袖部    ４Ｕ  上方袖部    ４Ｄ  下方袖部
５    袖口部
６    衿部
７    胴部
８    裾部
９    脇部
１１Ｆ  表目ウェール    １１Ｂ  裏目ウェール
Ｓ  編出し部  Ｅ  伏目部
【図１】
2016163658.tif 000003
【図２】
2016163658.tif 000004